(57)【要約】【課題】分析装置にカップを設置可能とすると共に、カップから安定して検体を採取する。【解決手段】検体を採取するノズルと、前記ノズルによって採取された検体を分析する分析部と、通常測定用の検体を収容する容器を搬送する搬送部と、通常測定と異なる緊急測定用の検体を収容するカップを保持するホルダと、ホルダが着脱可能に設置される設置部と、を備える。【選択図】図４
2019002822.tif 000002
【特許請求の範囲】
【請求項１】
検体を採取するノズルと、
前記ノズルによって採取された検体を分析する分析部と、
通常測定用の検体を収容する容器を搬送する搬送部と、
前記通常測定と異なる緊急測定用の検体を収容するカップを保持するホルダと、
前記ホルダが着脱可能に設置される設置部と、
を備える分析装置。
【請求項２】
前記カップは、傾斜した状態で前記ホルダを介して前記設置部に設置される
請求項１に記載の分析装置。
【請求項３】
前記ホルダは、前記カップの側面の少なくとも一部が前記カップの中心軸側に向かって変形した状態で前記カップを保持する保持部を備える
請求項１または２に記載の分析装置。
【請求項４】
前記ノズルの周りに前記ノズルを覆うカバーを更に備える
請求項１から３の何れか１項に記載の分析装置。
【請求項５】
前記ホルダは、スピッツを保持するアタッチメントを装着可能である
請求項１から４の何れか１項に記載の分析装置。
【請求項６】
前記設置部において前記ホルダに保持された前記カップを検出するカップ検出部と、
前記カップ検出部により前記カップが検出されない場合にエラーを報知する報知部と、
を更に備える請求項１から５の何れか１項に記載の分析装置。
【請求項７】
前記カップ内の検体の液面高さを検出する液面検出部と、
前記液面検出部により検出される検体の液面高さが、下限高さよりも低い場合にエラーを報知する報知部と、
を更に備える請求項１から６の何れか１項に記載の分析装置。
【発明の詳細な説明】
【技術分野】
【０００１】
本発明は、分析装置に関する。
【背景技術】
【０００２】
尿の分析において、通常、採尿カップに採取された尿は、ユーザによって採尿カップからスピッツ等に移され、このスピッツをラックに保持させた状態で分析装置に設置している。そして、このラックは、ノズルが設けられている場所まで搬送され、このノズルによって尿が採取される。ノズルによる尿の採取は、ラックに並べられたスピッツの並び順に行われ、ラックに保持された全てのスピッツから尿の採取が完了すると、次のラックが搬送されてくる。このように、ノズルによる尿の採取は、通常は、分析装置に設置された順に行われる。このように、分析装置に設置された順に検体を測定することを以下では、「通常測定」といい、通常測定に供される検体を「通常測定用の検体」または「通常検体」という。一方、尿を緊急に測定する要望がある。この場合、通常測定用の検体に優先して検体を測定することが望まれる。なお、通常測定用の検体よりも優先される検体を測定することを以下では「緊急測定」といい、緊急測定に供される検体を「緊急測定用の検体」または「緊急検体」という。
【０００３】
緊急測定の際、採尿カップから試験管への尿検体移し替え作業を省くために、試験管を用いた通常測定を行うための検体吸引位置の他に、緊急測定などを行うための検体吸引位置を有し、この位置において、採尿カップを直接設置して測定する技術が知られている（例えば、特許文献１参照。）。採尿カップを直接設置可能とすることにより、検体の移し替え作業の時間が無くなるために、効率的な緊急測定が可能となる。
【先行技術文献】
【特許文献】
【０００４】
【特許文献１】特開２００１−１５３８７２号公報
【発明の概要】
【発明が解決しようとする課題】
【０００５】
例えば特許文献１では、ユーザが採尿カップを直接手に持って装置まで運んで装置に設置している。このように、ユーザが採尿カップを直接手に持って移動するには、細心の注意が必要となる。すなわち、移動中に採尿カップから尿がこぼれた場合などに手に付着することを防止したり、採尿カップの落下を防止したりする必要がある。また、ユーザの手により装置に採尿カップを設置する場合には、採尿カップが所望の位置からずれて設置される虞もある。採尿カップを安定して所望の位置に設置できるか否かは、ユーザの技量に依存していた。したがって、ユーザの技量によっては、安定した検体採取ができない虞があった。
【０００６】
また、採尿カップを直接設置するためには、採尿カップ分のスペースが必要となる。採尿カップは試験管に比べると直径が大きいために、試験管を設置する場合よりも広いスペースが必要となる。そのため、分析装置が大型化する虞がある。一方、採尿カップから試験管へ検体を移し替える場合には、省スペース化が可能であるが、検体を移し替えることにより検体の分析を開始するまでに時間を要してしまう。また、検体を移し替えるときに、検体がユーザの手に付着する虞がある。さらには、採尿カップから試験管へ検体を移し替えるときに、検体を取り違えることがないように注意する必要があるため、手間がかかる。
【０００７】
本発明は、上記したような問題点に鑑みてなされたものであり、その目的は、分析装置にカップを設置可能とすると共に、カップから安定して検体を採取する技術を提供することにある。
【課題を解決するための手段】
【０００８】
上記課題を解決するために本発明では、検体を採取するノズルと、前記ノズルによって採取された検体を分析する分析部と、通常測定用の検体を収容する容器を搬送する搬送部と、前記通常測定と異なる緊急測定用の検体を収容するカップを保持するホルダと、前記ホルダが着脱可能に設置される設置部と、を備える。
【０００９】
また、前記カップは、傾斜した状態で前記ホルダを介して前記設置部に設置されていてもよい。
【００１０】
前記ホルダは、前記ホルダは、前記カップの側面の少なくとも一部が前記カップの中心軸側に向かって変形した状態で前記カップを保持する保持部を備えることができる。
【００１１】
また、前記ノズルの周りに前記ノズルを覆うカバーを更に備えることができる。
【００１２】
また、前記ホルダは、スピッツを保持するアタッチメントを装着可能である。
【００１３】
また、前記設置部において前記ホルダに保持された前記カップを検出するカップ検出部と、前記カップ検出部により前記カップが検出されない場合にエラーを報知する報知部と、を更に備えることができる。
【００１４】
前記カップ内の検体の液面高さを検出する液面検出部と、前記液面検出部により検出される検体の液面高さが、下限高さよりも低い場合にエラーを報知する報知部と、を更に備えることができる。
【発明の効果】
【００１５】
本発明によれば、分析装置にカップを設置可能とすると共に、カップから安定して検体を採取することができる。
【図面の簡単な説明】
【００１６】
【図１】検体に対して所定の分析を行う分析装置の概略構成を示した斜視図である。
【図２】分析装置の正面図である。
【図３】分析装置の右側面図である。
【図４】分析装置の上面図である。
【図５】分析装置の前側の上面図である。
【図６】カップを保持した状態でのホルダの概略構成を示した斜視図である。
【図７】カップを保持した状態でのホルダの上面図である。
【図８】分析装置の構成のブロック図である。
【図９】スピッツを保持した状態でのホルダの概略構成を示した斜視図である。
【図１０】スピッツを保持した状態でのホルダの上面図である。
【発明を実施するための形態】
【００１７】
以下に図面を参照して、この発明を実施するための形態を、実施例に基づいて例示的に詳しく説明する。ただし、この実施例に記載されている構成部品の寸法、材質、形状、その相対配置などは、特に記載がない限りは、この発明の範囲をそれらのみに限定する趣旨のものではない。
【００１８】
（実施例）
図１は、検体に対して所定の分析を行う分析装置１の概略構成を示した斜視図である。図１に示したように、分析装置１の高さ方向を上下方向と定義し、分析装置１を正面から見たときの左右の方向を左右方向と定義し、分析装置１を正面から見たときの奥行き方向を前後方向と定義する。図２は、分析装置１の正面図であり、図３は、分析装置１の右側面図であり、図４は、分析装置１の上面図である。また、図５は、分析装置１の前側の上面図である。分析装置１は、筺体２内に収容された分析部３と、筺体２の前面に接続され検体容器としてのスピッツ３０又はカップ８が置かれるフレーム５と、スピッツ３０又はカップ８から検体を吸引するノズル１１と、ノズル１１よりも上方で該ノズル１１を覆うカバー１３とを備えている。
【００１９】
フレーム５には、搬送装置７が設けられている。搬送装置７は、通常測定用の検体（通常検体）を収容した複数のスピッツ３０を検体ラック４で保持した状態で通常検体設置部７Ａから分析後検体排出部７Ｂまで搬送する。また、搬送装置７の上面部５Ａには、緊急測定用の検体（緊急検体）を分析するためのカップ８を保持したホルダ９を設置するための設置部１０が設けられている。通常検体設置部７Ａには、分析前の検体を収容した複数のスピッツ３０を保持する検体ラック４が置かれる。また、分析後検体排出部７Ｂには、分析後の検体を収容した複数のスピッツ３０を保持する検体ラック４が置かれる。
【００２０】
ここで搬送装置７は、例えば１０本のスピッツ３０を検体ラック４に起立保持させた状態で通常検体設置部７Ａから分析後検体排出部７Ｂへ搬送するものである。なお、本実施例では通常検体設置部７Ａから分析後検体排出部７Ｂへスピッツ３０を保持する検体ラック４を搬送する搬送装置７が、本発明における搬送部に相当する。搬送装置７は、通常検体設置部７Ａに、循環駆動自在な一組のベルト５１Ａを備えている。また、搬送装置７は、分析後検体排出部７Ｂに、循環駆動自在な一組のベルト５１Ｂを備えている。さらに、搬送装置７は、左右方向に移動自在なレバー５２Ａを備えている。搬送装置７においては、通常検体設置部７Ａに検体ラック４を供給すると、この検体ラック４は、ベルト５１Ａによって矢印Ｎ１方向（前側から後ろ側へ向かう方向）に搬送された後に、レバー５２Ａによって矢印Ｎ２方向（右側から左側へ向かう方向）に押されて、ノズル１１が検体を吸引する位置に搬送される。複数のスピッツ３０からノズル１１が検体を順次採取し、それらの分析を分析部３が行う。そして、ノズル１１によって検体が吸引された後、検体ラック４は、レバー５２Ａによって矢印Ｎ３方向（右側から左側へ向かう方向）に搬送される。次いで、検体ラック４は、ベルト５１Ｂによって矢印Ｎ４方向（後ろ側から前側へ向かう方向）に搬送される。
【００２１】
また、搬送装置７の上面部５Ａの中心付近には、緊急測定用の検体を収容するカップ８を保持するホルダ９が設置される設置部１０が形成されている。設置部１０にホルダ９を設置することにより、ノズル１１が検体を吸引する位置にホルダ９が設置される。設置部１０は、通常検体設置部７Ａと分析後検体排出部７Ｂとの間に設けられている。さらに、設置部１０は、検体ラック４がレバー５２Ａによって矢印Ｎ２方向または矢印Ｎ３方向に移動する際の搬送経路よりも前側に設けられている。このため、ホルダ９が設置部１０に設置された状態であっても、検体ラック４を搬送装置７によって搬送可能である。設置部１０は、上面部５Ａから下方向に凹ませて形成されている。上方からみた設置部１０の形状は略長方形であり、その左右方向の幅は、後述するホルダ９のカップ受け９１の左右方向の幅と略等しくなるように形成されている。設置部１０の底面は、ホルダ９が設置部１０に設置されたときに、ホルダ９が筺体２側に傾くように傾斜がつけられている。設置部１０にホルダ９を設置する際に、ホルダ９は、前側から後側に向かって設置部１０の側面及び底面に沿って移動可能であり、ホルダ９が設置部１０の傾斜の最深部まで進むとカップ受け９１と設置部１０とが嵌合することによってホルダ９の位置決めがなされる。
【００２２】
図６は、カップ８を保持した状態でのホルダ９の概略構成を示した斜視図である。図７は、カップ８を保持した状態でのホルダ９の上面図である。本実施例に係るカップ８は、ホルダ９に設置されていない状態では、下部から上部に向かって直径が徐々に大きくなるテーパ状に形成されていることが一般的である。カップ８は、例えば耐水加工された紙を材料として形成されている。ホルダ９は、必要なときに設置部１０に設置し、測定後には設置部１０から除去可能である。すなわち、ホルダ９は、設置部１０に着脱可能に設置されている。ホルダ９は、カップ８が置かれるカップ受け９１と、カップ８の所定の位置においてカップ８を囲んでカップ８を保持すると共にカップ８を変形させる保持部９２と、保持部９２を支える２本の支柱９３及び板９４とを備えている。保持部９２の中央にはカップ８を支持及び変形させるための開口部９２Ａが形成されている。
【００２３】
カップ受け９１の上面には、カップ８を置いたときにカップ８の外側の底部が嵌るように、カップ８の外側の底部の形状に合わせて中央を凹ませた凹部９１Ａが形成されている。凹部９１Ａの側面は、カップ８の外側の底部におけるカップ８の外径よりも若干大きな幅を有するように形成されており、カップ８を置いたときにカップ８が左右方向及び前後方向にずれないように凹部９１Ａの深さが設定されている。一方、カップ受け９１の下部は、ホルダ９を設置部１０に設置可能なように、設置部１０の形状に合わせて形成してある。
【００２４】
ここで、ホルダ９に保持される前のカップ８は、上記のように下端から上端に向かって直径が徐々に大きくなるテーパ形状になっている。本実施例では、このカップ８を保持部９２の開口部９２Ａの上方から通すことによって変形させている。保持部９２には、カップ８の外側の底部が通過可能なように、略長方形に形成された開口部９２Ａが設けられている。ユーザが、カップ８をホルダ９に設置するときには、保持部９２の上方から保持部９２の開口部９２Ａにカップ８の下端を通し、そのまま、カップ８の下端がカップ受け９１の凹部９１Ａに接するまでカップ８を開口部９２Ａに押し込む。
【００２５】
開口部９２Ａは、カップの底面の幅よりは大きいが、カップ上部の幅よりは少し小さくなるように形成されている。したがって、カップ８を開口部９２Ａに通すときに、カップ８の下端が凹部９１Ａに接する前に、開口部９２Ａの側壁がカップ８の外周面に当たる。さらに、ユーザがカップ８を開口部９２Ａ内に押し込むことにより、カップ８が中心軸側に向かって変形する。すなわち、カップ８の下端が凹部９１Ａに接した状態で、保持部９２によってカップ８の側面が押圧されるように、該保持部９２が形成されている。所定の位置における変形後のカップ８の左右方向の幅は、変形前のカップ８の直径よりも小さくなる。
【００２６】
なお、本実施例においては、開口部９２Ａの形状を前後方向が長辺で左右方向が短辺になる略長方形としているが、これに限らず、例えば、菱形または楕円形であってもよい。開口部９２Ａの形状は、カップ８を変形させて左右方向の幅を小さくできるような形状であり、且つ、変形後のカップ８からノズル１１が検体を吸引可能となる形状であれば問わない。
【００２７】
また、ホルダ９の移動の際にユーザが手で持つことのできる持ち手９５が保持部９２から突出している。ホルダ９は、設置部１０に設置されるときに、持ち手９５がカップ８よりも前側（筺体２とは反対側）を向くように固定されている。ユーザは持ち手９５を持って、ホルダ９を設置部１０に設置する。
【００２８】
カップ８をホルダ９に保持させる際に、カップ８の上部を変形させることにより、カップ８を設置部１０に直接置くよりも、カップ８をホルダ９に保持させた状態で設置部１０に設置するほうが、左右方向に必要となるスペースが小さくて済む。
【００２９】
ここで、ノズル１１は、カップ８と、検体ラック４で保持されたスピッツ３０との夫々から検体を吸引する。このノズル１１が検体を吸引する位置は、カップ８から検体を吸引する場合とスピッツ３０から検体を吸引する場合とで異なる。ノズル１１は、分析装置１が備えるアクチュエータ（図示省略）により上下方向及び前後方向に移動可能である。カップ８から検体を吸引する場合には、スピッツ３０から検体を吸引する場合よりも、前方向にノズル１１が移動する。検体を吸引するときには、ノズル１１が下方向に移動し、検体の吸引が終わるとノズル１１が上方向に移動する。なお、ノズル１１は、さらに、検体ラック４が搬送される方向（左右方向）に沿って移動可能となるように構成されていてもよい。また、通常検体と緊急検体とで異なるノズル１１を用いてもよい。さらに、通常検体と緊急検体とを異なるノズル１１で同時に吸引し、同時に分析できるように構成してもよい。なお、上下、前後、左右の夫々の方向は、図１において定義した。
【００３０】
ノズル１１がカップ８から検体を吸引する場合には、傾いた状態のカップ８の内部の最も深い位置周辺、すなわち、検体が集まる位置の真上から検体を吸引するように、ノズル１１及び設置部１０が設けられている。そして、ノズル１１は、検体を吸引する位置において真下に向かって移動して検体を吸引する。また、ノズル１１の周りに設けられているカバー１３は、ノズル１１がカップ８から検体を吸引するために前方向に移動する際にユーザがノズル１１に接触しないようにするために設置されている。すなわち、ユーザの指などが直接ノズル１１に接触するような隙間がないようにカバー１３が形成されている。カバー１３の材料としては、樹脂又は金属を例示できる。カバー１３には、透明の部材を用いることもできる。
【００３１】
検体の成分分析は分析部３が行う。検体は液体であって、尿または体液を例示できる。分析部３は、例えば、尿定性に関する分析処理、または、尿沈渣に関する分析処理などを行う。なお、分析部３の分析処理内容はこれに限らず、その他の分析処理を行ってもよい。また、尿以外を検体として用いた分析処理を行ってもよい。したがって、分析部３で分析される検体の具体的な種類や分析処理の具体的な内容は限定されない。また、分析部３の基本的な構成は、例えば周知の尿定性分析装置と同様な構成とすることが可能である。この尿定性分析のための装置構成は、周知であるため説明を省略する。分析部３は、コンピュータを備えており、検体から得られた測定データに基づいた所定の演算処理を実施する。
【００３２】
分析装置１は、通常測定時と緊急測定時とで動作が異なる。例えばユーザが、所定の操作を行うことにより、通常測定時の動作と緊急測定時の動作とが切り替わる。通常測定時には、複数のスピッツ３０に収容された検体を採取し、検体の成分分析を行う。緊急測定時には、通常測定時の動作より緊急測定時の動作を優先的に実施し、カップ８に収容された検体を採取し、検体の成分分析を行う。
【００３３】
通常測定時には、検体を収容したスピッツ３０を検体ラック４に保持させる。この検体ラック４を通常検体設置部７Ａに設置し、ユーザが分析装置１を操作することにより、搬送装置７によって検体ラック４が自動搬送され、ノズル１１が検体を吸引する（図５の矢印参照。）。検体ラック４に保持されている全てのスピッツ３０からの検体の吸引が終了すると、搬送装置７によって検体ラック４が分析後検体排出部７Ｂに搬送される。なお、通常測定時の検体ラック４の搬送には他の周知の技術を用いることもできる。
【００３４】
一方、緊急測定への切替えは、ユーザが操作スイッチなどで緊急測定モードを指定した場合、またはカップ８が設置部に正常に設置されたことを検出した場合に行われる。緊急測定では、ユーザがカップ８をホルダ９に保持させた後に、ホルダ９を設置部１０に設置する。設置部１０にホルダ９を設置することにより、ノズル１１が検体を吸引する位置に
ホルダ９が設置される。設置部１０の底面が傾斜していることにより、カップ８が傾いた状態が維持される。そして、傾いた状態のカップ８からノズル１１が検体を吸引する。測定後には、ホルダ９を設置部１０から取り外す。
【００３５】
分析装置１の筺体２の外面部には、複数の操作スイッチ（図示省略）やデータ若しくはエラーの表示用のディスプレイ２０が設けられている。例えば、搬送装置７への動作指示の入力は、分析装置１に設けられた操作スイッチが利用可能である。
【００３６】
ここで、図８は、分析装置１の構成のブロック図である。分析装置１には、制御部７０が設けられている。この制御部７０は、ＣＰＵの他、各種のプログラム及びマップを記憶するＲＯＭ、ＲＡＭ等を備えており、操作スイッチの状態に基づいてノズル１１の移動や搬送装置７の動作処理などを実行することにより分析装置１を制御する。さらに、制御部７０は、ディスプレイ２０の表示内容を決定し、ディスプレイ２０による表示を制御する。なお、本実施例においてはディスプレイ２０やプリンタ（図示省略）による印字が、本発明における報知部に相当する。但し、報知部としては、たとえば、ブザーやランプなどを用いることもできる。
【００３７】
また、設置部１０において、ホルダ９に設置されたカップ８の存在を確認するためのカップ検出センサ７２が設置されている。このカップ検出センサ７２は、カップ８が存在していることをカップ８に直接接触することにより検出するセンサである。なお、カップ検出センサ７２は、直接接触することに代えて、光学的にカップ８を検出してもよい。そして、カップ検出センサ７２による検出結果は、電気的に制御部７０に送信される。なお、本実施例においてはカップ検出センサ７２が、本発明におけるカップ検出部に相当する。
【００３８】
制御部７０は、カップ検出センサ７２の検出結果に基づいて、カップ８が存在するか否か、又は、カップ８が正しい位置に設置されているか否かを判定する。そして、カップ８が存在しない場合、若しくは、カップ８が正しい位置に設置されていないと判定された場合には、その旨をディスプレイ２０に表示することでユーザに報知する。この場合には、ノズル１１の移動を含む、緊急測定時に行われる動作を停止させる。例えば、カップ８及びホルダ９を一旦は設置部１０に設置はしたが、ノズル１１による検体の採取前にカップ８またはホルダ９を外した場合には、カップ８が存在しない、若しくは、カップ８が正しい位置に設置されていないと判定される。なお、緊急測定時に行われる動作を停止させる場合であっても、通常測定時に行われる動作は実施してもよい。カップ検出センサ７２によりカップ８が検出されない場合には、エラーとしてユーザに報知することにより、カップ８の設置を促すことができる。また、カップ８が存在していない状態でノズル１１が作動してユーザの手に接触することを抑制できる。なお、カップ検出センサ７２によりカップ８が検出されない場合には、報知すると共に、検体を採取するための動作を停止させてもよい。
【００３９】
ところで、カップ８を傾けた状態であってもノズル１１で検体を吸引することができないほど、検体の量が少ない場合も考えられる。このような場合には、ディスプレイ２０にエラーメッセージを表示するようにしてもよい。例えば、カップ８内の検体の液面高さが下限高さよりも低い場合には、制御部７０がディスプレイ２０に、検体の液面高さが下限高さよりも低いことを表示させることにより、ユーザに報知する。下限高さは、吸引可能な検体の液面高さの下限値、または、許容される精度で検体を分析可能な検体の液面高さの下限値である。なお、スピッツ３０に収容されている検体の量が少ない場合にも、同様にしてディスプレイ２０にエラーメッセージを表示させてもよい。このような場合にユーザに報知することにより、ユーザに他の方法により検体を分析することを促すことができる。カップ８に収容されている検体の液面高さは、以下のようにして検出することができる。なお、以下のようにして制御部７０が検体の液面高さを検出することにより、本発明
における液面検出部として機能する。
【００４０】
例えば、ノズル１１とホルダ９に取り付けられた板９４とを電極として考えて、ノズル１１と板９４との間の誘電率により構成されるコンデンサの静電容量Ｃの変化量を検知することにより検体の液面の高さを検出することができる。
【００４１】
ノズル１１がカップ８内に下降した際に、カップ８内に検体が入っている場合、ノズル１１が検体に触れると静電容量Ｃが変化する。したがって、静電容量Ｃの変化量とカップ８及びノズル１１の位置関係とから検体の液面の高さを算出することができる。ノズル１１の位置は、センサにより検出してもよく、アクチュエータの作動時間や供給電力に基づいて推定してもよい。
【００４２】
また、例えば、ノズル１１の他にノズル１１と同程度の長さの金属パイプをノズル１１と共にカップ８内に下降させ、ノズル１１と金属パイプとの導電状態により液面の高さを算出することができる。すなわち、ノズル１１及び金属パイプがカップ８内に下降して検体に触れた場合に、ノズル１１と金属パイプとの間の導電状態が変化するため、その導電状態が変化したときのカップ８及びノズル１１の位置関係から検体の液面の高さを算出することができる。
【００４３】
なお、本実施例に係るホルダ９には、アタッチメント９６を取り付けることにより、カップ８に代えてスピッツ３０を設置することができる。このアタッチメント９６は、保持部９２から着脱可能に形成される。ここで、図９は、スピッツ３０を保持した状態でのホルダ９の概略構成を示した斜視図である。図１０は、スピッツ３０を保持した状態でのホルダ９の上面図である。
【００４４】
アタッチメント９６は、保持部９２の開口部９２Ａ内に設置されるように、保持部９２に取り付けられる。アタッチメント９６は、スピッツ３０を上側から嵌め込むための保持部９６Ａであって、スピッツ３０の外径よりも若干大きな内径を有する断面がＣ字状の保持部９６Ａを備えている。また、カップ受け９１には、スピッツ３０の先端を差し込むための差し込み穴９１Ｂが設けられている。アタッチメント９６は、保持部９２及びカップ受け９１に対してスピッツ３０が傾斜して取り付けられるように形成されている。この傾斜角度は、設置部１０にホルダ９を設置した状態で、スピッツ３０の中心軸が鉛直方向（すなわち上下方向）を向くように決められている。すなわち、スピッツ３０の場合には、中心軸側に検体が集まるため、上下方向に対してわざわざ傾ける必要がなく、また、傾けてしまうとノズル１１をスピッツ３０内に進入させることが困難となる。そのため、設置部１０の底面の傾斜を打ち消すように、ホルダ９に対してスピッツ３０を傾けて設置している。このように、スピッツ３０をホルダ９に設置することもできるため、スピッツ３０に収容された緊急検体であっても分析装置１において分析可能である。スピッツ３０は、カップ８よりも細いものであればよく、形状等には制限はない。また、スピッツ３０に代えて他の形状の試験管を保持するアタッチメントを取り付け可能なように構成してもよい。
【００４５】
以上説明したように本実施例によれば、カップ８が保持されたホルダ９ごとカップ８を移動させることができるため、カップ８の移動中にカップ８からユーザの手に検体が付着することを抑制できる。また、ホルダ９を介してカップ８を設置部１０に直接設置することができるため、検体をスピッツや試験管に移し替える必要がない。したがって、検体の分析に要する時間を短縮することができる。そして、ホルダ９を介してカップ８が所望の位置に確実に設置されるため、安定して検体を採取することができる。
【００４６】
また、ホルダ９に設けられている保持部９２によりカップ８が潰されることにより、カ
ップ８の幅が縮小して、省スペース化を促進させることができる。したがって、分析装置１においてカップ８を置く場所を狭くすることができるため、分析装置１の小型化が可能となる。
【００４７】
また、ホルダ９と共にカップ８が傾けられて設置部１０に設置されるため、検体が例え少量であったとしても、狭い範囲に検体を集めることができるので、ノズル１１で吸引しやすくなる。したがって、検体の量がより少ない場合であっても、検体を分析することが可能となる。また、ホルダ９にカップ８が設置されているため、カップ８を単独で傾けて設置部１０に設置するよりも、カップ８を安定させることができる。
【００４８】
また、カップ８よりも上方にはカバー１３が設けられているため、ユーザがカップ８と共にホルダ９を搬送装置７に設置する際にユーザの手がノズル１１に接触すること、及び、ノズル１１が移動中にユーザが誤ってノズル１１に接触してしまうことを抑制できる。
【００４９】
また、ホルダ９には、カップ８に代えてスピッツ３０も保持可能であるため、スピッツ３０に入れられた緊急検体も速やかに分析することができる。
【００５０】
また、カップ８がホルダ９に設置されていない状態でホルダ９だけ搬送装置７に設置された場合や、カップ８の設置位置がずれている場合等には、ディスプレイ２０にエラーメッセージが表示される。これにより、ユーザに報知することが可能である。なお、ディスプレイ２０にエラーメッセージを表示することに代えて、若しくは、エラーメッセージを表示することと共に、警報音を発生させてもよい。また、音声による案内を流してもよい。また、ランプを点灯させてもよい。
【００５１】
なお、本実施例においては、ホルダ９によってカップ８が変形するようにホルダ９を構成しているが、例えば分析装置１において設置部１０を広く確保できる場合には、これに代えて、ホルダ９がカップ８を変形させないようにカップ８を保持してもよい。この場合、省スペース化は望めないが、カップ８がホルダ９に保持されているため、カップ８を安定させることはできる。これにより、検体の採取がし易くなる。また、ホルダ９が移動式のため扱いが容易となる。
【００５２】
また、本実施例では、カップ８及びホルダ９が傾いた状態で設置部１０に設置されているが、これに代えて、この傾きを無くしてもよい。この場合、検体を一か所に集めることが困難になるが、検体の量が十分に多ければ、傾ける必要もなくノズル１１で検体を吸引することができる。この場合、設置部１０は、上面部５Ａから下方向に凹ませなくてもよい。また、本実施例では、設置部１０に傾斜が設けられているが、これに代えて、ホルダ９のカップ受け９１に傾斜を設けてもよい。そうすることによっても、検体を一か所に集めることができる。ただし、ホルダ９のカップ受け９１に傾斜がないほうが、設置部１０に設置する前に他の場所にホルダ９を一旦置いた場合等にカップ８が安定するため、より良い。また、本実施例では、設置部１０の底面が、筺体２の中心側に向かって傾くように、設置部１０の後ろ側へ向かうにしたがって深くなるような傾斜を設けているが、傾斜の方向はこれに限らず、例えば、設置部１０の前側に向かうにしたがって深くなるような傾斜であってもよく、設置部１０の右側または左側に向かうにしたがって深くなるような傾斜であってもよい。また、本実施例に係るホルダ９は、設置部１０に単に置かれているだけだが、これに代えて、設置部１０にホルダ９を固定する機構を設置部１０及びホルダ９の少なくとも一方に設け、ホルダ９が設置部１０に固定されてもよい。
【００５３】
また、本実施例では、カバー１３を設けているが、このカバー１３は必須ではない。また、本実施例に係るカバー１３とは異なる手段（例えば、分析装置１の前面を覆うカバー）により、ユーザがノズル１１等に接触することを抑制してもよい。
【００５４】
また、本実施例では、ホルダ９にスピッツ３０が保持可能となるようにホルダ９が構成されているが、これは必須ではない。すなわち、ホルダ９が、カップ８のみを保持するように構成してもよい。
【符号の説明】
【００５５】
１  分析装置
２  筺体
３  分析部
４  検体ラック
７  搬送装置
７Ａ  通常検体設置部
７Ｂ  分析後検体排出部
８  カップ
９  ホルダ
１０  設置部
１１  ノズル
１３  カバー
２０  ディスプレイ
３０  スピッツ
７０  制御部
７２  カップ検出センサ
９６  アタッチメント
【図１】
2019002822.tif 000003
【図２】
2019002822.tif 000004
【図３】
2019002822.tif 000005
【図４】
2019002822.tif 000006
【図５】
2019002822.tif 000007
【図６】
2019002822.tif 000008
【図７】
2019002822.tif 000009
【図８】
2019002822.tif 000010
【図９】
2019002822.tif 000011
【図１０】
2019002822.tif 000012